(57)【要約】【課題】ロータリーシャッタを備えたディスクカートリッジにおいて、部品点数を削減し、かつサイズの小さ過ぎる部品を無くす。【解決手段】ロータリーシャッタ７を閉位置にロックするシャッタロック部材１１をフレーム２と一体に形成する。【選択図】          図１
2004171698.tif 000002
【特許請求の範囲】
【請求項１】
フレームと、該フレームによって支持された上下シェルとによって構成された扁平なハウジング内に記録媒体としてのディスクが回転自在に収容され、該ハウジングに、ドライブ装置の記録再生ヘッドを前記ディスクの表面にアクセスさせるための開口と、該開口を開閉するロータリーシャッタと、該ロータリーシャッタを閉位置にロックするシャッタロック部材とが設けられてなるディスクカートリッジにおいて、
前記シャッタロック部材が前記フレームと一体に形成されていることを特徴とするディスクカートリッジ。
【請求項２】
前記フレームに基端を固定されて該フレームから前記上下シェルの内壁に沿って延びる連結部材を備え、該連結部材の先端に前記シャッタロック部材が連接されていることを特徴とする請求項１記載のディスクカートリッジ。
【請求項３】
前記シャッタロク部材が前記ハウジングに回動可能に軸支され、前記連結部材の前記シャッタロック部材との連接部に、前記シャッタロック部材の回動動作を吸収し得る易撓部が形成されていることを特徴とする請求項２記載のディスクカートリッジ。
【発明の詳細な説明】
【０００１】
【発明の属する技術分野】
本発明は、ハウジング内に記録媒体としてのディスクを回転自在に収容してなるディスクカートリッジに関し、特にハウジングに形成された記録再生ヘッドアクセス用の開口を開閉するためのロータリーシャッタを閉位置にロックするシャッタロック部材に関するものである。
【０００２】
【従来の技術】
従来、デジタルカメラ等のモバイル機器においては、記録媒体として例えば特許文献１に記載されているような、「ｃｌｉｋ！（登録商標）」と呼ばれる超小型の磁気ディクカートリッジが使用されている。
【０００３】
このディスクカートリッジ１は、図５（ａ）〜（ｃ）にそのロータリーシャッタ７が閉状態にある平面図、右側面図および底面図を、図６（ａ），（ｂ）にロータリーシャッタ７が開状態にある平面図および底面図を、図７にその分解斜視図をそれぞれ示すように、押込み部２ａを含む樹脂製の通常スタビライザと呼ばれるフレーム２と、金属薄板からなる上下シェル３，４とによって構成された、幅５０ｍｍ、奥行き５５ｍｍ、厚さ１．９５ｍｍの扁平なハウジング内に、４０ＭＢの記憶容量を有する直径１．８インチ（４５．７ｍｍ）の磁気ディスク５を回転自在に収容している。
【０００４】
このディスクカートリッジ１は、図９に示すドライブ装置２０に挿入態様で装填されるように構成され、そのハウジングには、ドライブ装置２０が備えている磁気ヘッド２７を磁気ディスク５の表面にアクセスさせるためのＶ字状の開口６と、この開口６を開閉するためのロータリーシャッタ７とが設けられている。
【０００５】
ロータリーシャッタ７は、互いに係合された上下のシャッタ部材７Ｕ、７Ｄ（図７参照）からなり、上シャッタ部材７Ｕは上シェル３に、下シャッタ部材７Ｄは下シェル４にそれぞれ回転可能に軸支されている。そして、磁気ディスク５と上下のシャッタ部材７Ｕ、７Ｄとの間には、それぞれライナー１８が介挿されている。
【０００６】
また、図５（ａ）におけるハウジングの左側面先端部には、ドライブ装置２０の係合部材２９に係合させて、ドライブ装置２０内での位置決めを確実にするためのノッチ８が形成され、右側面先端部には、ロータリーシャッタ７を閉位置にロックするためのシャッタロック部材１１を外部に臨ませる小窓９が図５（ｂ）に示すように形成されている。
【０００７】
ハウジングの下シェル４には、磁気ディスク５のセンタコア１０を外部に臨ませる円形の中心孔４ａと、ロータリーシャッタ７と同心的な円弧状溝４ｂとが形成され、下シャッタ部材７Ｄには、上記円弧状溝４ｂから突出しかつこの円弧状溝４ｂに沿って移動してロータリーシャッタ７を開閉するシャッタノブ７ｂが固設されている。
【０００８】
図８（ａ）はディスクカートリッジ１のロータリーシャッタ７が閉位置にあるときの状態を、図８（ｂ）はロータリーシャッタ７が開位置にある状態を、それぞれロータリーシャッタ７およびシャッタロック部材１１を透視的に描いた平面図である。
【０００９】
ロータリーシャッタ７を閉位置にロックするシャッタロック部材１１は、ロータリーシャッタ７の外周に形成された係合凹部７ｃに係入し得る係合凸部１１ａを先端に備えており、上シェル３に設けられた軸１２に回動自在に取り付けられているとともに、バネ板１１ｂによって、上記係合凸部１１ａが上記係合凹部７ｃに係入し得る方向（図８の反時計方向）にバネ付勢されている。
【００１０】
そして、ディスクカートリッジ１がドライブ装置２０へ挿入される際に、ドライブ装置２０のロック解除部材１９が小窓９を通して上記シャッタロック部材１１を押圧することにより、シャッタロック部材１１が時計方向に僅かに回動されて、係合凸部１１ａが係合凹部７ｃから脱出することによって、ロータリーシャッタ７のロックが解除される。
【００１１】
上シャッタ部材７Ｕと下シャッタ部材７Ｄとからなるロータリーシャッタ７は、小径の長いコイルバネ１４によって閉方向（図８の反時計方向）にバネ付勢されており、このコイルバネ１４の装着のためにガイドワイヤ１３がコイルバネ１４内を長さ方向に貫通している。上記ガイドワイヤ１３の両端は、フレーム２の左右端のロータリーシャッタ７の外周面に対向する係止部２ｂ，２ｃにおいてそれぞれフレーム２に係止されている。下シャッタ部材７Ｄには、ロータリーシャッタ７の回動に伴ってガイドワイヤ１３に沿ってスライドするバネ係止片７ｄが一体に突設されている。
【００１２】
コイルバネ１４は、図８（ａ）に示すように、ガイドワイヤ１３に沿って伸縮するようにフレーム２の係止部２ｂとロータリーシャッタ７のバネ係止片７ｄとの間に縮装されて、ロータリーシャッタ７を閉方向（図８の反時計方向）にバネ付勢している。この状態から、ロックを解除されたロータリーシャッタ７が図８の時計方向に回動されると、コイルバネ１４が図８（ｂ）に示すように圧縮される。
【００１３】
図９に示すドライブ装置２０は、幅５３ｍｍ、奥行き８５ｍｍ、厚さ５ｍｍの外寸を有するＴＹＰＥＩＩ  ＰＣカード型のドライブ装置であり、ディスクカートリッジ１が挿入されるスロット２１と、磁気ディスク５のセンタコア１０を磁気吸着するスピンドル２３を備えたスピンドルモータ２２と、ヘッドアクチュエータ２４と、スイングアーム２５と、このスイングアーム２５に支持されたヘッドサスペンション２６とを備えている。ヘッドサスペンション２６の先端には、回転する磁気ディスク５の表面にアクセスして情報の記録再生を行なう磁気ヘッド２７が設けられている。
【００１４】
さらにドライブ装置２０には、ディスクカートリッジ１のノッチ８に係合する係合部材２９を備えたプッシュ・プッシュ式のカートリッジ係止・エジェクト機構２８と、このドライブ装置２０が装填されるデジタルカメラ、パソコン等の電子機器に対する入出力インターフェース３０とを備えている。
【００１５】
ドライブ装置２０のスロット２１の奥の右側には、ディスクカートリッジ１の挿入方向と直交するように左右方向に延びるシャッタノブ係止壁３１がシャッタ開放手段として形成されているとともに、閉位置にロックされたロータリーシャッタ７のロック状態をディスクカートリッジ１の挿入時に解除するロック解除部材１９が設けられている。
【００１６】
そして、ディスクカートリッジ１がドライブ装置２０に挿入されると、先ずロック解除部材１９がシャッタロック部材１１を押圧してロータリーシャッタ７のロック状態を解除し、その状態でシャッタノブ７ｂがドライブ装置のシャッタノブ係止壁３１に係合するから、ディスクカートリッジ１の押し込みに伴ってシャッタノブ７ｂがシャッタノブ係止壁３１に沿ってスライドする態様でロータリーシャッタ７がコイルバネ１４を圧縮しながら回動されて、図６（ａ），（ｂ）および図８（ｂ）に示すように開放され、同時にディスクカートリッジ１のノッチ８にドライブ装置２０の係合部材２９が係合することにより、ディスクカートリッジ１は，図８（ｂ）に示すように、コイルバネ１４が圧縮された状態のままでドライブ装置内の所定位置にロードされる。
【００１７】
一方、ディスクカートリッジ１のエジェクト時には、押込み部２ａを押圧することにより、カートリッジ係止・エジェクト機構２８がディスクカートリッジ１を押し出すとともに、ディスクカートリッジ１の引き出しに伴って、ロータリーシャッタ７はコイルバネ１４の付勢力により、図５（ａ），（ｃ）および図８（ａ）に示す位置まで回動されて、シャッタロック部材１１によりロックされるように構成されている。
【００１８】
図１０は、上シェル３におけるシャッタロック部材１１の軸支部の拡大断面図である。シャッタロック部材１１を回動可能に軸支する軸１２は、上シェル３に対するバーリング加工によって形成された、中心孔１２ａを有する円筒体であり、この軸１２にシャッタロック部材１１を遊嵌した後、円筒体の先端をカシメて、抜止め用フランジ１２ｂを形成している。
【００１９】
【特許文献１】米国特許第６２５６１６８号公報
【００２０】
【発明が解決しようとする課題】
ところで、上述した従来のディスクカートリッジ１においては、不使用時にロータリーシャッタ７を閉位置に固定することのみを目的としたシャッタロック部材１１が単体部品として設けられている。
【００２１】
しかしながら、シャッタロック部材１１を別個に設けることは、その分部品点数の増加を招くというデメリットがあるのみでなく、シャッタロック部材１１が極めてサイズの小さい部品であるため、取り扱いにくく、かつ組立てしにくいという問題もあった。
【００２２】
また、上シェル３にバーリング加工によって形成された円筒体である軸１２にシャッタロック部材１１を遊嵌した後、抜止め用フランジ１２ｂを形成するために軸１２の先端をカシメる必要があった。
【００２３】
さらに、軸１２を形成するためのバーリング加工法は、金属板部材に小径の下孔を開け、この下孔にバーリング工具を押し込んで金属板部材を塑性変形させて円筒体を形成する加工法であるため、円筒体である軸１２は先端をカシメるのには適しているが、図１０に示すように、軸１２の中心孔１２ａがハウジングの内外を連通しているために、この孔１２ａから塵埃がハウジングの内部に侵入するという問題もあった。
【００２４】
上述の事情に鑑み、本発明は、取り扱いにくい小さ過ぎる部品を排除し、かつ部品点数を少なくし、さらにはシャッタロック部材の軸をカシメることも必要とせず、かつこの軸から塵埃がハウジング内に侵入するのを防止することもできるディスクカートリッジを提供することを目的とするものである。
【００２５】
【課題を解決するための手段】
本発明は、記録媒体としてのディスクを回転自在に収容するハウジングに、ドライブ装置の記録再生ヘッドをディスクの表面にアクセスさせるための開口と、この開口を開閉するロータリーシャッタと、このロータリーシャッタを閉位置にロックするシャッタロック部材とが設けられてなるディスクカートリッジにおいて、
上記シャッタロック部材が上記フレームと一体に形成されていることを特徴とするものである。
【００２６】
その場合に、上記フレームに基端を固定されてこのフレームから前記上下シェルの内壁に沿って延びる連結部材を備え、この連結部材の先端に上記シャッタロック部材が連接されていることが好ましい。
【００２７】
さらに、上記シャッタロック部材がハウジングに回動可能に軸支され、上記連結部材のシャッタロック部材との連接部に、容易に撓み得る、例えば幅狭あるいは肉薄の湾曲部等からなる易撓部を備えていることが好ましい。
【００２８】
【発明の効果】
本発明によれば、シャッタロック部材が例えば連結部材を介してフレームと一体に形成されているので、部品点数を削減することができるのみでなく、単体のシャッタロック部材のようなサイズが小さ過ぎる部品も無くなるので、部品の取扱いおよび組込みが容易になる。
【００２９】
また、シャッタロック部材と連結部材との間に易撓部が設けられている場合には、シャッタロック部材の回動に伴って易撓部が撓み、シャッタロック部材の回動動作を吸収するので、シャッタロック部材と連結部材とが一体に連接されているにも拘わらず、シャッタロック部材の回動動作が連結部材側に伝達されないという利点がある。
【００３０】
さらに、シェルにバーリング加工によって形成された軸にシャッタロック部材が回動可能に軸支される構成の場合に、シャッタロック部材がフレームと一体に形成されていることにより、軸にシャッタロック部材を遊嵌しただけで、シャッタロック部材が軸から抜け出る虞れがなくなるから、軸の先端に抜止め用のフランジをカシメ加工により形成する必要がなくなる。
【００３１】
そして、軸のカシメ加工を必要としないことは、ガイド孔を必要とするバーリング加工によって軸を形成しなくてもよく、例えばガイド孔を必要としない打出し加工によって軸を形成することも可能となる。したがって、ガイド孔から塵埃がハウジング内に侵入する問題もなくなる。
【００３２】
【発明の実施の形態】
以下、本発明の実施の形態について、図面を参照して詳細に説明する。
【００３３】
図１（ａ），（ｂ）は、本発明によるディスクカートリッジの実施の形態を図８（ａ），（ｂ）に対応させて示す平面図、図２は図１の要部を拡大して示す平面図である。なお、図１においては、ロータリーシャッタ７を閉位置に付勢する機構は省略されている。
【００３４】
図７および図８においては、サイズの小さいシャッタロック部材１１が単独部品として形成されているが、図１および図■に示す本実施の形態においては、シャッタロック部材１１が、このシャッタロック部材１１と、スタビライザと呼ばれるフレーム２とを連結する連結部材４０とともにフレーム２と一体に形成されていることを特徴とするものである。
【００３５】
連結部材４０はその基端をフレーム２に固定されて、上下シェル３，４の内壁に沿って延びている。
【００３６】
本実施の形態の場合、シャッタロック部材１１が連結部材４０とともに金属板で一体に形成され、樹脂製のフレーム２の成形時に、連結部材４０の基端部がフレーム２にインサートされて一体になっている。
【００３７】
シャッタロック部材１１は軸孔１１ｃ（図２参照）を備えており、この軸孔１１ｃに、上シェル３に突設された軸１２が挿通されて、シャッタロック部材１１が回動可能に軸支されているが、連結部材４０のシャッタロック部材１１との連接部４１は湾曲しており、かつ図３（ａ）〜（ｃ）に３通りの拡大側面図を示すように、幅狭または肉薄に形成されて、容易に撓み得る易撓部を形成している。
【００３８】
以上の説明で明らかなように、本実施の形態では、シャッタロック部材１１が連結部材４０を介してフレーム２と一体に形成されているので、部品点数を削減することができるのみでなく、単体のシャッタロック部材のようなサイズが小さ過ぎる部品も無くなるので、部品の取扱いおよび組込みが容易になる。
【００３９】
また、シャッタロック部材１１と連結部材４０との間に易撓部が設けられていることにより、シャッタロック部材１１の回動に伴って易撓部が撓み、シャッタロック部材１１の回動動作を吸収するので、シャッタロック部材１１と連結部材４０とが一体に連接されているにも拘わらず、シャッタロック部材１１の回動動作が連結部材４０側に伝達されないという利点があり、ロータリーシャッタ７およびシャッタロック部材１１の動作を妨げることなく、上下シェル３，４とロータリーシャッタ７との間の狭い空隙に連結部材４０を延設することが可能になる。
【００４０】
さらに、シャッタロック部材１１が連結部材４０を介してフレーム２と一体に形成されていることにより、軸１２にシャッタロック部材を遊嵌しただけで、シャッタロック部材１１が軸１２から抜け出る虞れがなくなるから、軸１２の先端に図１０に示すような抜止め用のフランジ１２ｂをカシメ加工により形成する必要もなくなる。
【００４１】
そして、軸１２のカシメ加工を必要としないことは、ガイド孔を必要とするバーリング加工によって軸を形成しなくてもよいことになるから、例えば図４に示すのような、連通孔のない軸１２´を打出し加工によって形成することも可能となり、これによって、軸の孔から塵埃がハウジング内に侵入する問題もなくなる。
【００４２】
なお、本実施の形態では、シャッタロック部材１１が金属、フレーム２が樹脂で形成されており、この組合せが強度および軽量化の点で好ましいが、双方ともに、金属あるいは樹脂で形成することも、シャッタロック部材１１が樹脂製、フレーム２が金属製という組合せも可能である。
【図面の簡単な説明】
【図１】図１（ａ）は、本発明によるディスクカートリッジの実施の形態において、そのロータリーシャッタが閉位置にあるときの状態を、図１（ｂ）はロータリーシャッタが開位置にある状態を透視的に描いた平面図
【図２】図１の要部の拡大平面図
【図３】図２に示す連結部材のシャッタロック部材との連接部の３通りの構成を概略的に示す拡大側面図
【図４】図１のディスクカートリッジにおけるシャッタロック部材の軸支部の構造を示す拡大断面図
【図５】図５（ａ）〜（ｃ）は、ロータリーシャッタが閉状態にあるときの従来のディスクカートリッジを示す平面図、右側面図および底面図
【図６】図６（ａ），（ｂ）は、ロータリーシャッタが開状態にあるときの図５のディスクカートリッジを示す平面図および底面図
【図７】図５のディスクカートリッジの分解斜視図
【図８】図８（ａ）は図５のロータリーシャッタ従来のそのロータリーシャッタが閉位置にあるときの状態を、図１（ｂ）はロータリーシャッタが開位置にある状態をそれぞれ透視的に描いた平面図
【図９】ドライブ装置の平面図
【図１０】図５のディスクカートリッジにおけるシャッタロック部材の軸支部の構造を示す拡大断面図
【符号の説明】
２    フレーム
３    上シェル
４    下シェル
５    ディスク
７    ロータリーシャッタ
７Ｕ    上シャッタ部材
７Ｄ    下シャッタ部材
１０    センタコア
１１    シャッタロック部材
１２，１２´    シャッタロック部材の軸
４０    連結部材
４１    連接部（易撓部）
【図１】
2004171698.tif 000003
【図２】
2004171698.tif 000004
【図３】
2004171698.tif 000005
【図４】
2004171698.tif 000006
【図５】
2004171698.tif 000007
【図６】
2004171698.tif 000008
【図７】
2004171698.tif 000009
【図８】
2004171698.tif 000010
【図９】
2004171698.tif 000011
【図１０】
2004171698.tif 000012